(57)【要約】【課題】食器かごが収納された洗浄槽２と、洗浄槽内に設けられた洗浄ノズルとを備える食器洗浄機であって、洗浄ノズルは、洗浄ポンプから供給される洗浄水の水圧に押されて上方にのびるセンターノズル４２を有し、食器かごは、センターノズルが上方にのびた状態で、センターノズルの上端より低くなる位置に配置された上部かご３２を有するものにおいて、上部かごに載置した食器が上方にのびるセンターノズルと干渉することを防止できるようにする。【解決手段】上部かご３２のセンターノズル４２に最も接近した個所に食器を載置することができないようにする食器載置規制手段３２５を設ける。【選択図】図２
2018117868.tif 000002
【特許請求の範囲】
【請求項１】
食器類を支持する食器かごが収納された洗浄槽と、洗浄槽内に設けられた洗浄ノズルと、洗浄槽内の洗浄水を洗浄ノズルに供給する洗浄ポンプとを備える食器洗浄機であって、洗浄ノズルは、洗浄ポンプから供給される洗浄水の水圧に押されて上方にのびるセンターノズルを有し、食器かごは、センターノズルが上方にのびたときセンターノズルの上端より低くなる位置に配置された上部かごを有するものにおいて、
上部かごに、上部かごの特定箇所に食器を載置することができないようにする食器載置規制手段が設けられ、この特定箇所は、ここに食器を載置すると、上部かごのセンターノズル寄りの側端から張り出す食器の部分が上方にのびるセンターノズルと干渉する可能性がある、センターノズルに最も接近した個所であることを特徴とする食器洗浄機。
【請求項２】
請求項１記載の食器洗浄機であって、前記上部かごは、コップや湯飲みに代表される小径で底の深い食器を、開口縁を下にして、センターノズルから離れる方向に傾斜した姿勢で支持可能であって、食器の開口縁を受ける開口受け部と、食器の周壁部の食器傾斜方向側の部分を受ける周壁受け部とを有するものにおいて、前記食器載置規制手段は、前記特定箇所に、食器の周壁部の一部分であって、食器傾斜方向に対し交差する方向の部分が当接するように設けられた邪魔板で構成されることを特徴とする食器洗浄機。
【請求項３】
前記邪魔板は、前記開口受け部と前記周壁受け部との両者に跨るように設けられることを特徴とする請求項２記載の食器洗浄機。
【請求項４】
前記邪魔板の上縁の高さは、前記周壁受け部の上端と同等以上の高さであることを特徴とする請求項２又は３に記載の食器洗浄機。
【発明の詳細な説明】
【技術分野】
【０００１】
本発明は、食器類を支持する食器かごが収納された洗浄槽と、洗浄槽内に設けられた洗浄ノズルと、洗浄槽内の洗浄水を洗浄ノズルに供給する洗浄ポンプとを備える食器洗浄機に関する。
【背景技術】
【０００２】
従来、この種の食器洗浄機として、洗浄ノズルを、洗浄ポンプから供給される洗浄水の水圧に押されて上方にのびるセンターノズルを有するものとし、食器かごを、センターノズルが上方にのびた状態で、センターノズルの上端より低くなる位置に配置された上部かごを有するものとしたものが知られている（例えば、特許文献１参照）。また、上部かごは、コップや湯飲みに代表される小径で底の深い食器を、開口縁を下にしてセンターノズルから離れる方向に傾斜した姿勢で支持可能であって、食器の開口縁を受ける開口受け部と、食器の周壁部の食器傾斜方向側の部分を受ける周壁受け部とを有し、センターノズルに形成したノズル孔から噴射される洗浄水が食器内に入るようにしている。
【０００３】
ところで、食器洗浄機の小型化のため、センターノズルと上部かごとの間の水平距離を短縮することが要求される場合がある。この場合、上部かごのセンターノズルに最も接近した個所に食器を載置すると、上部かごのセンターノズル寄りの側端から張り出す食器の部分が上方にのびるセンターノズルと干渉してしまうことがある。
【先行技術文献】
【特許文献】
【０００４】
【特許文献１】特開２０１６−３０１６３号公報
【発明の概要】
【発明が解決しようとする課題】
【０００５】
本発明は、以上の点に鑑み、上部かごに載置した食器が上方にのびるセンターノズルと干渉することを防止できるようにした食器洗浄機を提供することをその課題としている。
【課題を解決するための手段】
【０００６】
上記課題を解決するために、本発明は、食器類を支持する食器かごが収納された洗浄槽と、洗浄槽内に設けられた洗浄ノズルと、洗浄槽内の洗浄水を洗浄ノズルに供給する洗浄ポンプとを備える食器洗浄機であって、洗浄ノズルは、洗浄ポンプから供給される洗浄水の水圧に押されて上方にのびるセンターノズルを有し、食器かごは、センターノズルが上方にのびた状態で、センターノズルの上端より低くなる位置に配置された上部かごを有するものにおいて、上部かごに、上部かごの特定箇所に食器を載置することができないようにする食器載置規制手段が設けられ、この特定箇所は、ここに食器を載置すると、上部かご部のセンターノズル寄りの側端から張り出す食器の部分が上方にのびるセンターノズルと干渉する可能性がある、センターノズルに最も接近した個所であることを特徴とする。
【０００７】
本発明によれば、上部かごの特定箇所たるセンターノズルに最も接近した個所には、ここに設けた食器載置規制手段により食器を載置することができなくなる。そのため、上部かごのセンターノズルに最も接近した個所に食器を載置した場合に発生する、食器が上方にのびるセンターノズルに干渉するという不具合を防止することができる。
【０００８】
また、上部かごが、コップや湯飲みに代表される小径で底の深い食器を、開口縁を下にして、センターノズルから離れる方向に傾斜した姿勢で支持可能であって、食器の開口縁を受ける開口受け部と、食器の周壁部の食器傾斜方向側の部分を受ける周壁受け部とを有するものである場合には、食器載置規制手段を、上記特定箇所に、食器の周壁部の一部分であって、食器傾斜方向に対し交差する方向の部分が当接するように設けられた邪魔板で構成すればよい。これによれば、食器の周壁部が邪魔板に当接することで、上記特定箇所に食器を載置できなくなる。
【０００９】
また、邪魔板は、開口受け部と周壁受け部との両者に跨るように設けられることが望ましい。これによれば、邪魔板が開口受け部と周壁受け部とを連結する補強部材としても機能し、上部かごの剛性が高められる。
【００１０】
尚、邪魔板の上縁の高さが周壁受け部の上端の高さより低いと、食器の周壁部を周壁受け部の上端と邪魔板の上縁とに載せた状態で特定箇所に誤って食器を載置してしまう恐れがある。そのため、邪魔板の上縁の高さは、周壁受け部の上端と同等以上の高さであることが望ましい。これによれば、食器の周壁部を邪魔板の上縁に載せても、周壁受け部の上端に食器の周壁部が載らないため、食器が安定せず、特定箇所に誤って食器を載置してしまうことを防止できる。
【図面の簡単な説明】
【００１１】
【図１】本発明の実施形態の食器洗浄機の切断側面図。
【図２】実施形態の食器洗浄機の洗浄槽の斜め上方から見た斜視図。
【図３】実施形態の食器洗浄機の洗浄槽の要部の平面図。
【図４】実施形態の食器洗浄機の上部かごの斜視図。
【発明を実施するための形態】
【００１２】
図１に示す本発明の実施形態の食器洗浄機は、システムキッチンに組み込んで設置されるビルトイン式のものであり、前面が開放されたハウジング１内に前方に引出し自在に収納される洗浄槽２を備えている。洗浄槽２内には、食器類を支持する食器かご３が収納されると共に、食器かご３に向けて洗浄水を噴射する洗浄ノズル４が設けられている。尚、洗浄槽２の前面には、ハウジング１の前面を閉塞する前蓋２１が取付けられている。また、ハウジング１内の上部には、洗浄槽２の開放された上面を閉塞するシール蓋１１が設けられている。
【００１３】
洗浄槽２の底部には、残菜フィルタ２２を介して洗浄槽２内に連通する洗浄水の溜り部２３が設けられている。洗浄槽２の底部下側には、溜り部２３に連通する洗浄ポンプ５が設置されている。そして、洗浄ポンプ５を正転させたとき、洗浄槽２内の洗浄水が溜り部２３と洗浄ポンプ５とを介して洗浄ノズル４に供給され、洗浄ポンプ５を逆転させたとき、洗浄水が洗浄槽２から排水されるようにしている。
【００１４】
洗浄ノズル４は、洗浄槽２の下部で水平方向にのび、長手方向中央部で鉛直軸線回りに旋回自在な下ノズル４１と、下ノズル４１の長手方向中央部に立設されたセンターノズル４２とを有している。下ノズル４１は、これに形成したノズル孔４１１から洗浄水を噴射し、この噴射反力により旋回する。センターノズル４２は、下ノズル４１に一体の下半部４２ａと、下半部４２ａに上下動自在に内挿した上半部４２ｂとで構成されている。洗浄ポンプ５から洗浄水が供給されると、上半部４２が洗浄水の水圧に押されて上動し、センターノズル４２が上方にのびる。そして、下半部４２ａの上端部に形成したノズル孔４２１と上半部４２ｂに形成したノズル孔４２２とから洗浄水が噴射される。
【００１５】
食器かご３は、下ノズル４１の上方に配置された、大皿、小皿、中鉢、椀等の比較的大型の食器Ｗ１を支持する下部かご３１と、センターノズル４２より後方で、センターノズル４２が上方にのびたときセンターノズル４２の上端よりも低くなる位置に配置された、コップや湯飲みに代表される小径で底の深い食器Ｗ２を支持する上部かご３２とを有している。下部かご３１の中央部には、これに載置する食器Ｗ１がセンターノズル４２に干渉することを防止できるように、センターノズル４２を囲うガード枠３１１が設けられている。
【００１６】
図２乃至図４も参照して、上部かご３２は、洗浄槽２の上部壁面に係合支持される、線材で構成される枠体３２１と、枠体３２１に固定される合成樹脂製のかご本体３２２とで構成されている。かご本体３２２は、湾曲した前後２列の食器支持部３２２ａ，３２２ｂを有し、これら各列の食器支持部３２２ａ，３２２ｂに、複数の食器Ｗ２を横方向に並べて支持できるようにしている。各列の食器支持部３２２ａ，３２２ｂは、食器Ｗ２を、開口縁を下にして、センターノズル４２から離れる方向（後方）に傾斜した姿勢で支持可能であって、食器Ｗ２の開口縁を受ける複数の棒状体で構成される開口受け部３２３と、食器Ｗ２の周壁部の傾斜方向側、即ち、後側の部分を受ける単数又は複数の棒状体で構成される周壁受け部３２４とを有する。
【００１７】
ここで、本実施形態では、食器洗浄機の小型化のため、センターノズル４２と上部かご３２との間の水平距離を短縮している。その結果、上部かご３２のセンターノズル４２に最も接近した個所、即ち、前列の食器支持部３２２ａの横方向中央部に食器Ｗ２を載置した場合、上部かご３２のセンターノズル４２寄りの側端、即ち、前端から張り出す食器Ｗ２の部分が上方にのびるセンターノズル４２と干渉する可能性がある。
【００１８】
そこで、本実施形態では、前列の食器支持部３２２ａの横方向中央部を特定箇所として、この特定箇所に食器Ｗ２を載置することができないようにする食器載置規制手段を設けている。具体的に説明すれば、特定箇所に、食器Ｗ２の周壁部の食器傾斜方向に対し交差した方向である横方向の部分が当接する邪魔板３２５を設け、この邪魔板３２５で食器載置規制手段を構成している。これによれば、食器Ｗ２の周壁部が邪魔板３２５に当接することで、特定箇所に食器Ｗ２を載置するスペースがなくなって、食器Ｗ２を載置できなくなるため、特定箇所に食器Ｗ２を載置した場合に発生する、食器Ｗ２が上方にのびるセンターノズル４２に干渉するという不具合を防止することができる。
【００１９】
また、本実施形態において、邪魔板３２５は、前列の食器支持部３２２ａの開口受け部３２３と周壁受け部３２４との両者に跨るように設けられている。これにより、邪魔板３２５が開口受け部３２３と周壁受け部３２４とを連結する補強部材としても機能し、上部かご３２の剛性が高められる。更に、本実施形態では、邪魔板３２５に、枠体３２１の横棒部３２１ａに係合する垂下部３２５ａを延出して、かご本体３２２の支持剛性を高められるようにしている。
【００２０】
尚、邪魔板３２５の上縁の高さが周壁受け部３２４の上端の高さより低いと、食器Ｗ２の周壁部を周壁受け部３２４の上端と邪魔板３２５の上縁とに載せた状態で特定箇所に誤って食器Ｗ２を載置してしまう恐れがある。そこで、本実施形態では、邪魔板３２５の上縁の高さを、周壁受け部３２４の上端と同等以上の高さにしている。これによれば、食器Ｗ２の周壁部を邪魔板３２５の上縁に載せても、周壁受け部３２４の上端に食器Ｗ２の周壁部が載らないため、食器Ｗ２が安定せず、特定箇所に誤って食器Ｗ２を載置してしまうことを防止できる。
【００２１】
以上、本発明の実施形態について図面を参照して説明したが、本発明はこれに限定されない。例えば、上記実施形態では、食器載置規制手段を特定箇所に設けた１枚の邪魔板３２５で構成しているが、特定箇所に後方に向かって間隔が広がるＶ字状に配置した２枚の邪魔板で食器載置規制手段を構成することも可能である。また、上記実施形態では、上部かご３２がセンターノズル４２の後方に位置しているが、上部かごをセンターノズルの前方や、横方向に位置させるものにも同様に本発明を適用できる。
【符号の説明】
【００２２】
２…洗浄槽、３…食器かご、３２…上部かご、３２３…開口受け部、３２４…周壁受け部、３２５…邪魔板、４…洗浄ノズル、４２…センターノズル、５…洗浄ポンプ。
【図１】
2018117868.tif 000003
【図２】
2018117868.tif 000004
【図３】
2018117868.tif 000005
【図４】
2018117868.tif 000006